(57)【要約】【課題】検体の検査結果を、検査結果の判定条件とともに表示することで再検査の要否を目視で確認することができる検査結果表示装置、検査結果表示システム、検査結果表示方法及びコンピュータプログラムを提供する。【解決手段】検体の検査結果として、所定の測定項目に対応付けて得られた測定データ群から複数の測定データを取得する。取得した複数の測定データが測定項目ごとに適正範囲内に存在するか否かを判定する判定条件に係るパラメータ群の入力を受け付ける。取得した複数の測定データ及びパラメータ群に対応する判定条件を同一表示領域にて表示し、判定条件が変更された場合、変更された判定条件も表示する。【選択図】図７
2010085379.tif 000002
【特許請求の範囲】
【請求項１】
検体の検査結果として、所定の測定項目に対応付けて得られた測定データ群から、複数の測定データを取得する測定データ取得手段と、
取得した複数の前記測定データが測定項目ごとに適正範囲内に存在するか否かを判定する判定条件に係るパラメータ群の入力を受け付けるパラメータ群受付手段と、
取得した複数の前記測定データ及び入力を受け付けた前記パラメータ群に対応する前記判定条件を同一表示領域にて表示する表示手段と
を備え、
前記パラメータ群受付手段で、前記パラメータ群の変更入力を受け付けた場合、前記表示手段は、受け付けた変更入力に係るパラメータ群に対応する前記判定条件を表示するようにしてあることを特徴とする検査結果表示装置。
【請求項２】
前記測定データ取得手段は、
検体の検査結果として得られた測定データ群を所定の測定項目に対応付けて記憶する測定データ群記憶手段と、
記憶してある前記測定データ群から所定の検索条件に基づいて複数の測定データを検索して読み出す測定データ読出手段と
を備えることを特徴とする請求項１記載の検査結果表示装置。
【請求項３】
前記所定の検索条件の設定を受け付ける検索条件受付手段を備えることを特徴とする請求項１又は２記載の検査結果表示装置。
【請求項４】
前記判定条件に合致する複数の測定データを抽出する抽出手段と、
抽出された複数の測定データの表示形式を他の複数の測定データの表示形式と異なる表示形式に変更する表示形式変更手段と
を備えることを特徴とする請求項１乃至３のいずれか一項に記載の検査結果表示装置。
【請求項５】
表示されている複数の測定データの中から一の測定データの指定を受け付ける測定データ指定受付手段と、
指定を受け付けた測定データの測定項目ごとに取得した情報の詳細を表示する詳細情報表示手段と
を備えることを特徴とする請求項１乃至４のいずれか一項に記載の検査結果表示装置。
【請求項６】
複数の前記測定データの分布する度合を示す確率分布を算出する確率分布算出手段を備え、
前記表示手段は、複数の前記測定データの代わりに算出された前記確率分布を表示するようにしてあることを特徴とする請求項１乃至５のいずれか一項に記載の検査結果表示装置。  
【請求項７】
検体の検査結果を記憶する中央装置と、該中央装置とデータ通信することが可能に接続されており、前記検査結果を表示する表示端末装置とを備える検査結果表示システムにおいて、
前記中央装置は、
検体の検査結果として得られた測定データ群を所定の測定項目に対応付けて記憶する測定データ群記憶手段を備え、
前記表示端末装置は、
前記中央装置に記憶してある前記測定データ群から複数の測定データを読み出す測定データ読出手段と、
読み出された複数の前記測定データが測定項目ごとに適正範囲内に存在するか否かを判定する判定条件に係るパラメータ群の入力を受け付けるパラメータ群受付手段と、
取得した複数の前記測定データ及び入力を受け付けた前記パラメータ群に対応する前記判定条件を同一表示領域にて表示する表示手段と
を備え、
前記パラメータ群受付手段で、前記パラメータ群の変更入力を受け付けた場合、前記表示手段は、受け付けた変更入力に係るパラメータ群に対応する前記判定条件を表示するようにしてあることを特徴とする検査結果表示システム。
【請求項８】
検体の検査結果を記憶する中央装置と、検査結果を表示する表示端末装置とがデータ通信することが可能に接続されている検査結果表示システムで実行することが可能な検査結果表示方法において、
前記中央装置は、
検体の検査結果として得られた測定データ群を所定の測定項目に対応付けて記憶し、
前記表示端末装置は、
前記中央装置に記憶してある前記測定データ群から複数の測定データを読み出し、
読み出された複数の前記測定データが測定項目ごとに適正範囲内に存在するか否かを判定する判定条件に係るパラメータ群の入力を受け付け、
取得した複数の前記測定データ及び入力を受け付けた前記パラメータ群に対応する前記判定条件を同一表示領域にて表示し、
前記パラメータ群の変更入力を受け付けた場合、受け付けた変更入力に係るパラメータ群に対応する前記判定条件を表示することを特徴とする検査結果表示方法。
【請求項９】
コンピュータで実行することが可能なコンピュータプログラムにおいて、
前記コンピュータを、
検体の検査結果として、所定の測定項目に対応付けて得られた測定データ群から、複数の測定データを取得する測定データ取得手段、
取得した複数の前記測定データが測定項目ごとに適正範囲内に存在するか否かを判定する判定条件に係るパラメータ群の入力を受け付けるパラメータ群受付手段、
取得した複数の前記測定データ及び入力を受け付けた前記パラメータ群に対応する前記判定条件を同一表示領域にて表示する表示手段
として機能させ、
前記パラメータ群受付手段で、前記パラメータ群の変更入力を受け付けた場合、前記表示手段を、受け付けた変更入力に係るパラメータ群に対応する前記判定条件を表示する手段
として機能させることを特徴とするコンピュータプログラム。
【発明の詳細な説明】
【技術分野】
【０００１】
本発明は、検体の検査結果を、検査結果の判定条件とともに表示することができる検査結果表示装置、検査結果表示システム、検査結果表示方法及びコンピュータプログラムに関する。
【背景技術】
【０００２】
近年、血液分析装置、尿分析装置等に代表される複数の検体処理装置を駆使して、様々な検査が行われている。そして、これらの検査において、健常人の平均的な測定結果と大きく乖離する測定結果が得られた場合には、患者にとって重要な病気の原因が内包されている可能性もあり、より慎重に結果を得るために、当該検体について再検査を実施して、測定結果が適正範囲内であるか否かを再度判断することが望ましい。
【０００３】
測定結果が適正範囲内であるか否かは、例えば測定値が所定の測定項目の上下限値の範囲内に存在するか否か等の各種の判定条件、ルール等に基づいて判定される。判定結果によっては、検体の再検査をすることにより、より正確な検査結果を得ることができる。
【０００４】
検体の再検査の割合が多くなった場合、検体検査に要する時間、費用等が増大し、好ましくない。一方、再検査を実施する判定条件、ルール等を緩和した場合、異常値を示しているにもかかわらず再検査をすることなく検査結果を提出することになり、患者の健康を維持するという検体検査の趣旨に反する。
【０００５】
斯かる問題を解決するため、例えば特許文献１では、所定の測定項目の上下限値チェック、測定限界値チェック、項目間の相関チェック、同一検体の前回測定値と比較する前回測定値チェック、及び検体の取り違えを調べる組み合わせチェックをリアルタイムで実行する自動分析装置が開示されている。
【０００６】
また、特許文献２では、患者の年齢、性別、検査試料の採取時期、検査試料の種別、検査試料の履歴等により分析条件を自動的に変更する自動分析装置が開示されており、特許文献３では、装置本体のアラームチェック、患者の前回値データと今回値データとの比較、患者データと該患者データの直前に測定されたデータとの比較という３段階でデータチェックを行う自動分析装置が開示されている。
【特許文献１】特開昭６１−２３５７５３号公報
【特許文献２】特開平６−０２７１１７号公報
【特許文献３】特開平７−１２０４７１号公報
【発明の開示】
【発明が解決しようとする課題】
【０００７】
しかし、上述した特許文献は、いずれも判定条件のチェックを自動的に行うことに本質的特徴を有しており、検査施設ごとにどのような判定条件、ルール等で判定した場合に、どの程度の割合で再検査が必要となるのかを把握することができない。したがって、判定条件の何をどの程度まで変更しても良いのか判断するための情報を得ることができないという問題点があった。
【０００８】
一方で、再検査を実施することは検査効率を著しく損なうことから、不要な再検査の実施を回避することは、検査業務の迅速化、検査結果の精度向上の観点から必要不可欠となる。
【０００９】
本発明は斯かる事情に鑑みてなされたものであり、検体の検査結果を、検査結果の判定条件とともに表示することで再検査の要否を目視で確認することができる検査結果表示装置、検査結果表示システム、検査結果表示方法及びコンピュータプログラムを提供することを目的とする。
【課題を解決するための手段】
【００１０】
上記目的を達成するために第１発明に係る検査結果表示装置は、検体の検査結果として、所定の測定項目に対応付けて得られた測定データ群から、複数の測定データを取得する測定データ取得手段と、取得した複数の前記測定データが測定項目ごとに適正範囲内に存在するか否かを判定する判定条件に係るパラメータ群の入力を受け付けるパラメータ群受付手段と、取得した複数の前記測定データ及び入力を受け付けた前記パラメータ群に対応する前記判定条件を同一表示領域にて表示する表示手段とを備え、前記パラメータ群受付手段で、前記パラメータ群の変更入力を受け付けた場合、前記表示手段は、受け付けた変更入力に係るパラメータ群に対応する前記判定条件を表示するようにしてあることを特徴とする。
【００１１】
また、第２発明に係る検査結果表示装置は、第１発明において、前記測定データ取得手段は、検体の検査結果として得られた測定データ群を所定の測定項目に対応付けて記憶する測定データ群記憶手段と、記憶してある前記測定データ群から所定の検索条件に基づいて複数の測定データを検索して読み出す測定データ読出手段とを備えることを特徴とする。
【００１２】
また、第３発明に係る検査結果表示装置は、第１又は第２発明において、前記所定の検索条件の設定を受け付ける検索条件受付手段を備えることを特徴とする。
【００１３】
また、第４発明に係る検査結果表示装置は、第１乃至第３発明のいずれか１つにおいて、前記判定条件に合致する複数の測定データを抽出する抽出手段と、抽出された複数の測定データの表示形式を他の複数の測定データの表示形式と異なる表示形式に変更する表示形式変更手段とを備えることを特徴とする。
【００１４】
また、第５発明に係る検査結果表示装置は、第１乃至第４発明のいずれか１つにおいて、表示されている複数の測定データの中から一の測定データの指定を受け付ける測定データ指定受付手段と、指定を受け付けた測定データの測定項目ごとに取得した情報の詳細を表示する詳細情報表示手段とを備えることを特徴とする。
【００１５】
また、第６発明に係る検査結果表示装置は、第１乃至第５発明のいずれか１つにおいて、複数の前記測定データの分布する度合を示す確率分布を算出する確率分布算出手段を備え、前記表示手段は、複数の前記測定データの代わりに算出された前記確率分布を表示するようにしてあることを特徴とする。  
【００１６】
次に、上記目的を達成するために第７発明に係る検査結果表示システムは、検体の検査結果を記憶する中央装置と、該中央装置とデータ通信することが可能に接続されており、前記検査結果を表示する表示端末装置とを備える検査結果表示システムにおいて、前記中央装置は、検体の検査結果として得られた測定データ群を所定の測定項目に対応付けて記憶する測定データ群記憶手段を備え、前記表示端末装置は、前記中央装置に記憶してある前記測定データ群から複数の測定データを読み出す測定データ読出手段と、読み出された複数の前記測定データが測定項目ごとに適正範囲内に存在するか否かを判定する判定条件に係るパラメータ群の入力を受け付けるパラメータ群受付手段と、取得した複数の前記測定データ及び入力を受け付けた前記パラメータ群に対応する前記判定条件を同一表示領域にて表示する表示手段とを備え、前記パラメータ群受付手段で、前記パラメータ群の変更入力を受け付けた場合、前記表示手段は、受け付けた変更入力に係るパラメータ群に対応する前記判定条件を表示するようにしてあることを特徴とする。
【００１７】
次に、上記目的を達成するために第８発明に係る検査結果表示方法は、検体の検査結果を記憶する中央装置と、検査結果を表示する表示端末装置とがデータ通信することが可能に接続されている検査結果表示システムで実行することが可能な検査結果表示方法において、前記中央装置は、検体の検査結果として得られた測定データ群を所定の測定項目に対応付けて記憶し、前記表示端末装置は、前記中央装置に記憶してある前記測定データ群から複数の測定データを読み出し、読み出された複数の前記測定データが測定項目ごとに適正範囲内に存在するか否かを判定する判定条件に係るパラメータ群の入力を受け付け、取得した複数の前記測定データ及び入力を受け付けた前記パラメータ群に対応する前記判定条件を同一表示領域にて表示し、前記パラメータ群の変更入力を受け付けた場合、受け付けた変更入力に係るパラメータ群に対応する前記判定条件を表示することを特徴とする。
【００１８】
上記目的を達成するために第９発明に係るコンピュータプログラムは、コンピュータで実行することが可能なコンピュータプログラムにおいて、前記コンピュータを、検体の検査結果として、所定の測定項目に対応付けて得られた測定データ群から、複数の測定データを取得する測定データ取得手段、取得した複数の前記測定データが測定項目ごとに適正範囲内に存在するか否かを判定する判定条件に係るパラメータ群の入力を受け付けるパラメータ群受付手段、取得した複数の前記測定データ及び入力を受け付けた前記パラメータ群に対応する前記判定条件を同一表示領域にて表示する表示手段として機能させ、前記パラメータ群受付手段で、前記パラメータ群の変更入力を受け付けた場合、前記表示手段を、受け付けた変更入力に係るパラメータ群に対応する前記判定条件を表示する手段として機能させることを特徴とする。
【００１９】
第１発明、第７発明、第８発明及び第９発明では、中央装置は、検体の検査結果として得られた測定データ群を所定の測定項目に対応付けて記憶する。表示端末装置は、中央装置に記憶してある測定データ群から複数の測定データを読み出し、読み出された複数の測定データが測定項目ごとに適正範囲内に存在するか否かを判定する判定条件に係るパラメータ群の入力を受け付ける。取得した複数の測定データ及び入力を受け付けたパラメータ群に対応する判定条件を同一表示領域にて表示する。パラメータ群の変更入力を受け付けた場合、受け付けた変更入力に係るパラメータ群に対応する判定条件を併せて表示することにより、判定条件に合致している測定データ群と合致していない測定データ群とを画面上で明確に区別することができ、判定条件の変更によりどの測定データの判定が変動するのか画面上で容易にシミュレートすることも可能となる。したがって、本当に再検査が必要となる測定データを容易に特定することができ、不要な測定データに関する再検査を未然に回避することにより検査効率の向上が期待できる。
【００２０】
第２発明では、検体の検査結果として得られた測定データ群を所定の測定項目に対応付けて記憶し、記憶してある測定データ群から所定の検索条件に基づいて測定データを検索して読み出すことにより、検査結果として表示するための測定データを取得することができる。
【００２１】
第３発明では、所定の検索条件の設定を受け付けることにより、表示する所望の測定データを検索することができる。
【００２２】
第４発明では、判定条件に合致する測定データを抽出し、抽出された測定データの表示形式を他の測定データの表示形式と異なる表示形式に変更することにより、再検査の必要がない測定データと必要がある測定データとを目視で明確に区別することができる。変更する表示形式としては、表示色、表示方法（点滅、輝度変更等）等、特に限定されるものではなく、両者が区別できる表示形式であれば何でも良い。
【００２３】
第５発明では、表示されている測定データの中から一の測定データの指定を受け付け、指定を受け付けた測定データの測定項目ごとに取得した情報の詳細を表示することにより、個々の測定データの測定項目ごとの情報の詳細を確認しながら判定条件を変更することができ、パラメータ群を適正に決定することが可能となる。
【００２４】
第６発明では、測定データの分布する度合を示す確率分布を算出し、測定データの代わりに算出された確率分布を表示することにより、特異な測定データを目視で容易に特定することができ、再検査の要否を目視で判断することが可能となる。
【発明の効果】
【００２５】
上記構成によれば、所定の検索条件で検索した測定データ及びパラメータ群に対応する判定条件を同一表示領域にて表示することにより、判定条件に合致している測定データ群と合致していない測定データ群とを画面上で明確に区別することができ、判定条件の変更によりどの測定データの判定が変動するのか画面上で容易にシミュレートすることも可能となる。したがって、本当に再検査が必要となる測定データを容易に特定することができ、不要な測定データに関する再検査を未然に回避することにより検査効率の向上が期待できる。
【発明を実施するための最良の形態】
【００２６】
以下、本発明の実施の形態に係る検査結果表示システムについて、図面に基づいて具体的に説明する。なお、以下の実施の形態では、コンピュータシステムにコンピュータプログラムを導入した中央装置と表示端末装置とで構成された検査結果表示システムについて説明するが、当業者であれば明らかな通り、一のコンピュータで構成される検査結果表示装置として同様の機能を実現することができる。また、本発明はその一部をコンピュータで実行することが可能なコンピュータプログラムとして実施することができる。したがって、本発明は、検査結果表示装置というハードウェアとしての実施の形態、ソフトウェアとしての実施の形態、又はソフトウェアとハードウェアとの組み合わせの実施の形態をとることができる。コンピュータプログラムは、ハードディスク、ＤＶＤ、ＣＤ、光記憶装置、磁気記憶装置等の任意のコンピュータで読み取ることが可能な記録媒体に記録することができる。
【００２７】
（実施の形態１）
図１は、本発明の実施の形態１に係る検査結果表示システムの構成を示すブロック図である。図１に示すように、本実施の形態１に係る検査結果表示システムは、中央装置１にネットワーク２を介して複数の表示端末装置（検査結果表示装置）３、３、・・・がデータ通信することが可能に接続されている。表示端末装置（検査結果表示装置）３には、一又は複数の検査装置４、４、・・・が接続されている。
【００２８】
検査装置４、４、・・・は、例えば血球分析装置、尿中成分分析装置、免疫分析装置、生化学分析装置等の分析装置であり、患者の検体を採取して、測定データを表示端末装置（検査結果表示装置）３へ送信する。一の表示端末装置（検査結果表示装置）３は、同一種類の検査装置４、４、・・・が接続されていても良いし、複数種類の検査装置４、４、・・・が接続されていても良い。各検査装置４での測定データは、接続されている表示端末装置（検査結果表示装置）３を介して中央装置１に集約される。
【００２９】
中央装置１は、少なくとも、ＣＰＵ（中央演算装置）１１、ＲＡＭ１２、記憶装置１３、入力装置１４、出力装置１５、可搬型ディスクドライブ１６、通信装置１７及び上述したハードウェアを接続する内部バス１８で構成されている。ＣＰＵ１１は、内部バス１８を介して中央装置１の上述したようなハードウェア各部と接続されており、上述したハードウェア各部の動作を制御するとともに、記憶装置１３に記憶されているコンピュータプログラムに従って、種々のソフトウェア的機能を実行する。
【００３０】
ＲＡＭ１２は、ＳＲＡＭ、フラッシュメモリ等で構成され、コンピュータプログラムの実行時にロードモジュールが展開され、コンピュータプログラムの実行時に発生する一時的なデータ等を記憶する。もちろん、コンピュータプログラムは、事前に記憶装置１３に記憶されていても良い。
【００３１】
記憶装置１３は、内蔵される固定型記憶装置（ハードディスク）、ＲＯＭ等で構成されている。記憶装置１３に記憶されているコンピュータプログラムは、プログラム及びデータ等の情報を記録したＤＶＤ、ＣＤ−ＲＯＭ等の可搬型記録媒体から、可搬型ディスクドライブ１６によりダウンロードされ、実行時には記憶装置１３からＲＡＭ１２へ展開して実行される。もちろん、通信装置１７を介して外部コンピュータからダウンロードされたコンピュータプログラムであっても良い。
【００３２】
また記憶装置１３は、測定データ群を記憶する測定データ群記憶部１３１と判定条件に関する情報を記憶するマスタデータ記憶部１３２とを備えている。図２は、測定データ群記憶部１３１に記憶されるデータ構成の例示図である。図２に示すように、測定日時に関する情報、及び患者を識別する情報、例えば患者名、患者ＩＤ等に対応付けて、所定の測定項目ごとの測定データ及び再検査対象であるか否かに関する情報を記憶する。斯かる構成とすることにより同一の患者の同一の測定項目に係る測定データを、日時ベースで比較することもできる。
【００３３】
図３は、マスタデータ記憶部１３２に記憶されるデータ構成の例示図である。図３に示すように、マスタデータ記憶部１３２には、測定項目ごとに測定データが適正範囲内に存在するか否かを判断する基準となる上限値及び下限値、さらに前回の測定データとの許容差又は前回の測定データとの許容比率を記憶してある。上限値及び下限値は、今回の判断基準となる数値と前回の判断基準となった数値とを別個に記憶しても良い。これらの数値を記憶しておくことで、今回の測定データが、上限値と下限値との間に存在するか否か、今回の測定データと前回の測定データとの差分が許容差の範囲内であるか否か、今回の測定データと前回の測定データとの比率が許容比率の範囲内であるか否か等に基づいて、測定データが測定項目ごとに適正範囲内に存在するか否かを判断することができる。
【００３４】
通信装置１７は内部バス１８に接続されており、インターネット、ＬＡＮ、ＷＡＮ等の外部のネットワーク２に接続されることにより、外部のコンピュータ等とデータ送受信を行うことが可能となっている。すなわち、上述した記憶装置１３は、中央装置１に内蔵される構成に限定されるものではなく、通信装置１７を介して接続されている外部のストレージ等の外部記録媒体であっても良い。
【００３５】
入力装置１４は、キーボード及びマウス等のデータ入力媒体である。出力装置１５は、ＣＲＴモニタ、ＬＣＤ等の表示装置又はレーザプリンタ、インクジェットプリンタ等の印刷装置である。
【００３６】
図４は、本発明の実施の形態１に係る検査結果表示システムの表示端末装置（検査結果表示装置）３の構成を示すブロック図である。表示端末装置（検査結果表示装置）３は、少なくとも、ＣＰＵ（中央演算装置）３１、ＲＡＭ３２、記憶装置３３、入力装置３４、表示装置３５、可搬型ディスクドライブ３６、通信装置３７及び上述したハードウェアを接続する内部バス３８で構成されている。ＣＰＵ３１は、内部バス３８を介して中央装置１の上述したようなハードウェア各部と接続されており、上述したハードウェア各部の動作を制御するとともに、記憶装置３３に記憶されているコンピュータプログラム１００に従って、種々のソフトウェア的機能を実行する。
【００３７】
ＲＡＭ３２は、ＳＲＡＭ、フラッシュメモリ等で構成され、コンピュータプログラム１００の実行時にロードモジュールが展開され、コンピュータプログラム１００の実行時に発生する一時的なデータ等を記憶する。もちろん、コンピュータプログラム１００は、事前に記憶装置３３に記憶されていても良い。
【００３８】
記憶装置３３は、内蔵される固定型記憶装置（ハードディスク）、ＲＯＭ等で構成されている。記憶装置３３に記憶されているコンピュータプログラム１００は、プログラム及びデータ等の情報を記録したＤＶＤ、ＣＤ−ＲＯＭ等の可搬型記録媒体９０から、可搬型ディスクドライブ３６によりダウンロードされ、実行時には記憶装置３３からＲＡＭ３２へ展開して実行される。もちろん、通信装置３７を介して外部コンピュータからダウンロードされたコンピュータプログラム１００であっても良い。
【００３９】
なお、表示端末装置３として使用する場合には、記憶装置３３には、測定データ群及び判定条件に関する情報を記憶しない。一方、検査結果表示装置３として使用する場合には、記憶装置３３には、測定データ群及び判定条件に関する情報をダウンロード等することにより記憶する。
【００４０】
通信装置３７は内部バス３８に接続されており、インターネット、ＬＡＮ、ＷＡＮ等の外部のネットワーク２に接続されることにより、外部のコンピュータ等とデータ送受信を行うことが可能となっている。すなわち、上述した記憶装置３３は、表示端末装置（検査結果表示装置）３に内蔵される構成に限定されるものではなく、通信装置３７を介して接続されている外部のストレージ等の外部記録媒体であっても良い。
【００４１】
入力装置３４は、キーボード及びマウス等のデータ入力媒体である。表示装置３５は、ＣＲＴモニタ、ＬＣＤ等の表示装置である。
【００４２】
図５は、本発明の実施の形態１に係る表示端末装置（検査結果表示装置）３の機能ブロック図である。図５に示すように本実施の形態１に係る表示端末装置（検査結果表示装置）３は、所定の測定項目に対応付けて記憶装置１３の測定データ群記憶部１３１に記憶されている測定データ群から、所定の検索条件にて検索された測定データを取得する測定データ取得部５１を有している。測定データ取得部５１は、測定データの検索条件を受け付ける検索条件受付部５１１と、記憶されている測定データ群から表示対象となる測定データを読み出す測定データ読出部５１２とを備えている。
【００４３】
検索条件受付部５１１は、マウス、キーボード等の入力装置３４を介して、所定の検索条件の設定を受け付ける。設定する検索条件は、例えば表示端末装置（検査結果表示装置）３に接続されている検査装置４の特定情報、測定項目を含む検査項目情報、検査日時に関する情報等である。これにより、例えば測定データが適正範囲内に存在するか否かを判断する処理を測定項目ごとに実行することができる。
【００４４】
測定データ読出部５１２は、設定を受け付けた検索条件に基づいて、中央装置１の記憶装置１３の測定データ群記憶部１３１に記憶されている測定データ群から条件に合致する測定データを検索し、表示端末装置（検査結果表示装置）３へ送信する。これにより、例えば測定データが測定項目ごとに適正範囲内に存在するか否かの判断を画面上で目視にて実行することができる。
【００４５】
パラメータ群受付部５２は、取得した測定データが測定項目ごとに適正範囲内に存在するか否かを判定する判定条件を特定するためのパラメータ群の入力を受け付ける。パラメータ群は、例えば測定項目ごとの測定データの上限値、下限値、前回の測定データとの許容差、前回の測定データとの許容比率等である。
【００４６】
表示部５３は、取得した測定データ及びパラメータ群に対応する判定条件を同一表示領域にて表示する。例えば前回の測定データを横軸に、今回の測定データを縦軸にしてサンプリングすることにより測定データの分布を把握することができる。サンプリングされた測定データと同一の座標軸について判定条件を描画することにより、どの測定データが適正であり、どの測定データが異常であるのか等を、目視で容易に確認することができる。
【００４７】
抽出部５４は、判定条件に合致する測定データを抽出する。表示形式変更部５５は、抽出部５４にて抽出された測定データの表示形式を他の測定データの表示形式と異なる表示形式に変更する。例えば判定条件に合致する測定データの表示色を他の測定データと変更することにより、判定条件に合致する測定データと合致していない測定データとを目視で容易に区別することができる。
【００４８】
測定データ指定受付部５６は、表示されている測定データの中から一の測定データの指定を、マウス等の入力装置３４により受け付ける。詳細情報表示部５７は、指定を受け付けた測定データの測定項目ごとの情報の詳細を表示する。例えば抽出部５４にて抽出されていない測定データ、すなわち表示形式変更部５５により表示色が変更されていない一の測定データの指定を受け付けることにより、判定条件に合致しない測定データの測定項目ごとの情報の詳細、例え前回と今回の測定データだけでなく、再検査必要と判断されたか否かに関する情報、再検査での結果に関する情報、エラーが生じたか否かに関する情報等を即座に確認することができる。したがって、判定条件を変える必要の有無等を確実に判断することができる。
【００４９】
上述した構成の検査結果表示システムの表示端末装置（検査結果表示装置）３での処理手順について説明する。図６は、本発明の実施の形態１に係る表示端末装置（検査結果表示装置）３のＣＰＵ３１の処理手順を示すフローチャートである。
【００５０】
図６において、表示端末装置（検査結果表示装置）３のＣＰＵ３１は、測定データの検索条件を受け付け（ステップＳ６０１）、中央装置１の記憶装置１３に記憶されている測定データ群から、検索条件に合致する測定データを読み出す（ステップＳ６０２）。ＣＰＵ３１は、測定データが測定項目ごとに適正範囲内に存在するか否かを判定する判定条件を特定するためのパラメータ群の設定又は変更を受け付ける（ステップＳ６０３）。
【００５１】
図７は、本実施の形態１に係る表示端末装置（検査結果表示装置）３の表示画面の例示図である。検索条件は、日付情報受付領域７１、装置・項目情報受付領域７２にて入力を受け付ける。例えば日付情報受付領域７１では日付範囲の入力を受け付け、装置・項目情報受付領域７２では検査装置４、４、・・・を識別する情報、及び検査項目の選択を受け付ける。
【００５２】
パラメータ群は、パラメータ群受付領域７３にて入力を受け付ける。具体的には、項目ごとに基準値の上限値及び下限値、前回値の上限値及び下限値、今回値の上限値及び下限値、前回値と今回値との差分又は比率の設定を受け付ける。また、前回値と今回値との比率の算出方法の選択を受け付けても良い。例えば比率計算の分母を前回値とするか、平均値とするかの選択を受け付ける。
【００５３】
図６に戻って、表示端末装置（検査結果表示装置）３のＣＰＵ３１は、取得した測定データ及びパラメータ群に対応する判定条件を同一表示領域にて表示する（ステップＳ６０４）。例えば前回の測定データを横軸に、今回の測定データを縦軸にしてサンプリングすることにより測定データの分布図を表示することができる。サンプリングされた測定データと同一の座標軸について判定条件を描画することにより、どの測定データが適正であり、どの測定データが異常であるのか等を、目視で容易に確認することができる。
【００５４】
なお、表示装置３５への表示画面は図７と同様である。すなわち、表示スケール設定領域７５にて表示する最大値及び最小値の設定を受け付け、測定データ表示領域７６にて測定データをサンプリング表示する。同時にサンプリング表示された測定データに関する情報、例えば総プロット数、判定条件ごとに合致した測定データ数、合致しない測定データ数、又はこれらの比率等を詳細情報表示領域７７に表示する。
【００５５】
ＣＰＵ３１は、一の測定データを選択し（ステップＳ６０５）、判定条件に合致するか否かを判断する（ステップＳ６０６）。ＣＰＵ３１が、判定条件に合致すると判断した場合（ステップＳ６０６：ＹＥＳ）、ＣＰＵ３１は、選択した測定データの表示形式を他の測定データの表示形式と異なる表示形式に変更する（ステップＳ６０７）。表示形式のうち、例えば表示色を変更すれば良い。この場合、判定条件に合致する測定データの表示色を他の測定データと異なる表示形式に変更することにより、判定条件に合致する測定データと合致していない測定データとを目視で容易に区別することができる。変更する表示形式は表示色に限定されるものではないことは言うまでもない。
【００５６】
判定条件に合致するか否かの判断手順は、特に限定されるものではない。例えば、上限値、下限値、及び前回の測定データとの許容比率を用いて、以下の手順により判断する。以下、成人男性のＡＬＴを測定データとし、上限値を‘４２’、下限値を‘８’、許容比率を‘３９％’とした場合の判断手順を例に説明する。
【００５７】
図８は、今回の測定データの判断処理の概要を示すグラフである。今回の測定データである今回ＡＬＴ値が上限値‘４２’と下限値‘８’との間の領域８１に存在する場合、当該測定データは再検査の対象外であると判断する。一方、今回の測定データである今回ＡＬＴ値が上限値‘４２’より大きい領域８２、及び下限値‘８’より小さい領域８３に存在する場合、当該測定データは再検査の対象であると判断する。
【００５８】
図９は、今回の測定データの許容比率に基づく判断処理の概要を示すグラフである。許容比率を３９％とし、今回の測定データである今回ＡＬＴ値が前回の測定データである前回ＡＬＴ値に対して許容比率３９％以内である場合、当該測定データは再検査の対象外であると判断する。例えば前回ＡＬＴ値が‘１０’である場合、今回ＡＬＴ値が‘６．１’以上‘１３．９’以下である測定データが該当する。したがって、今回ＡＬＴ値‘６．１’と原点とを結んだ直線より上の領域であって、今回ＡＬＴ値‘１３．９’と原点とを結んだ直線より下の領域９１に存在する測定データは再検査の対象外であると判断する。
【００５９】
一方、今回の測定データである今回ＡＬＴ値が前回の測定データである前回ＡＬＴ値に対して許容比率３９％より大きい場合、当該測定データは再検査の対象であると判断する。例えば前回ＡＬＴ値が‘１０’である場合、今回ＡＬＴ値が６．１より小さい、又は１３．９より大きい測定データが該当する。したがって、今回ＡＬＴ値‘６．１’と原点とを結んだ直線より下の領域９２、又は今回ＡＬＴ値‘１３．９’と原点とを結んだ直線より上の領域９３に存在する測定データは再検査の対象であると判断する。
【００６０】
図１０は、前回の測定データの判断処理の概要を示すグラフである。前回の測定データである前回ＡＬＴ値が上限値‘４２’と下限値‘８’との間の領域１０１に存在する場合、当該測定データは再検査の対象外であると判断する。一方、前回の測定データである前回ＡＬＴ値が上限値‘４２’より大きい領域１０２、及び下限値‘８’より小さい領域１０３に存在する場合、当該測定データは再検査の対象であると判断する。
【００６１】
図１１は、図８乃至図１０から再検査の対象外となる適正領域を求めたグラフである。図１１に示すように図８乃至図１０のグラフを重ねあわせ、それぞれの再検査の対象外となる領域８１、９１、１０１の共通領域を適正領域１１１として求めている。
【００６２】
なお、図７の画面のカテゴリ受付領域７４にて、カテゴリの入力を受け付けることができる。同じ項目、例えばＡＬＴ値であっても、例えば通常時と緊急時、成人と小児とでは判定条件を微妙に変更するべきだからである。図１２は、カテゴリの相違により判定条件として求めた適正領域１１１が変動する例示図である。図１２（ａ）に示すように、再検査をする必要がない適正領域１１１が特定されている場合であっても、例えばカテゴリが‘緊急’であった場合には、ＡＬＴ値は全体に高めの値を示すことから、図１２（ｂ）に示すように適正領域１１１を全体に右上方へシフトさせている。また、カテゴリが‘小児’であった場合には、ＡＬＴ値の上限値が全体に低めになることから、図１２（ｃ）に示すように適正領域１１１の上限値のみを低下させている。このようにすることで、より精度良く検査結果が測定項目ごとに適正範囲内であるか否かを判断することができる。
【００６３】
図６に戻って、表示端末装置（検査結果表示装置）３のＣＰＵ３１が、判定条件に合致しないと判断した場合（ステップＳ６０６：ＮＯ）、ＣＰＵ３１は、ステップＳ６０７をスキップし、全ての測定データを選択したか否かを判断する（ステップＳ６０８）。ＣＰＵ３１が、まだ選択していない測定データが存在すると判断した場合（ステップＳ６０８：ＮＯ）、ＣＰＵ３１は、次の測定データを選択して（ステップＳ６０９）、処理をステップＳ６０６へ戻して上述した処理を繰り返す。
【００６４】
ＣＰＵ３１が、全ての測定データを選択したと判断した場合（ステップＳ６０８：ＹＥＳ）、ＣＰＵ３１は、表示されている測定データの中から一の測定データの指定を、マウス等の入力装置３４により受け付けたか否かを判断する（ステップＳ６１０）。ＣＰＵ３１が、指定を受け付けていないと判断した場合（ステップＳ６１０：ＮＯ）、ＣＰＵ３１は、指定の受付待ち状態となる。ＣＰＵ３１が、指定を受け付けたと判断した場合（ステップＳ６１０：ＹＥＳ）、ＣＰＵ３１は、指定を受け付けた測定データの測定項目ごとの情報の詳細を表示する（ステップＳ６１１）。例えば判定条件に合致しないと判断され、表示色が変更されていない一の測定データの指定を受け付けることにより、判定条件に合致しない測定データの測定項目ごとの情報の詳細を即座に確認することができる。したがって、判定条件を変える必要の有無等を確実に判断することができる。
【００６５】
図１３は、表示画面上の測定データ指示の例示図であり、図１４は、指示された測定データの測定項目ごとの情報の表示画面の例示図である。図１３に示すように、測定データをサンプリング表示している測定データ表示領域７６にて、表示されている一の測定データ１３３にマウス等のカーソルを重ねる。カーソルが重なった場合、又はマウス等による選択を受け付けた場合、測定データ表示領域７６でのｘ値及びｙ値、すなわち前回ＡＬＴ値及び今回ＡＬＴ値が同一画面上のポップアップ領域１３４にて表示される。そして、カーソルが重なった状態でマウス等により当該測定データ１３３が選択された場合、選択された測定データ１３３の元の検査結果データを中央装置１の記憶装置１３から読み出し、図１４に示すような検査結果表示画面１３５を新たに起動して表示する。これにより、例えば特異な測定データであるか否かを総合判断する一助となる。
【００６６】
また、判定条件と測定データとを同時に表示しているので、どの測定データが判定条件に合致するか否かを目視で容易に確認することができる。したがって、パラメータ群受付部５２にて入力を受け付けた測定データが測定項目ごとに適正範囲内に存在するか否かを判定する判定条件を特定するためのパラメータ群を変更した場合、１回前に特定した判定条件の表示を継続することにより、判定条件の変更によりどの測定データが影響を受けたのか明確に目視で確認することができる。
【００６７】
図１５は、パラメータ群の設定を変更した場合の測定データ表示領域７６に表示される画面の例示図である。図１５では、パラメータ群のうち、前回値と今回値との下限値の設定を変更した場合の例を示している。前回の表示では、前回の判定条件を示す境界線１５１、１５１が表示されていたが、図１５では今回の判定条件を示す境界線１５２、１５２も重ね合わせて表示されている。したがって、どの測定データが今回の判定条件変更により再検査対象から除外されたか目視で確認することができ、不要な再検査の実施を未然に回避することが可能となる。
【００６８】
以上のように本実施の形態１によれば、所定の検索条件で検索した測定データ及びパラメータ群に対応する判定条件を同一表示領域にて表示することにより、判定条件に合致している測定データ群と合致していない測定データ群とを画面上で明確に区別することができ、判定条件の変更によりどの測定データの判定が変動するのか画面上で容易にシミュレートすることも可能となる。したがって、本当に再検査が必要となる測定データを容易に特定することができ、不要な測定データに関する再検査を未然に回避することにより検査効率の向上が期待できる。
【００６９】
（実施の形態２）
本発明の実施の形態２に係る検査結果表示システムの構成及び表示端末装置（検査結果表示装置）の構成は実施の形態１と同様であることから、同一の符号を付することにより詳細な説明は省略する。本実施の形態２は、検索条件で検索された測定データの分布する度合を示す確率分布を算出して、測定データの代わりに表示する点で実施の形態１と相違する。
【００７０】
図１６は、本発明の実施の形態２に係る表示端末装置（検査結果表示装置）３の機能ブロック図である。図１６に示すように本実施の形態２に係る表示端末装置（検査結果表示装置）３は、所定の測定項目に対応付けて記憶装置１３の測定データ群記憶部１３１に記憶されている測定データ群から、所定の検索条件にて検索された測定データを取得する測定データ取得部５１を有している。測定データ取得部５１は、測定データの検索条件を受け付ける検索条件受付部５１１と、記憶されている測定データ群から表示対象となる測定データを読み出す測定データ読出部５１２とを備えている。
【００７１】
検索条件受付部５１１は、マウス、キーボード等の入力装置３４を介して、所定の検索条件の設定を受け付ける。設定する検索条件は、例えば表示端末装置（検査結果表示装置）３に接続されている検査装置４の特定情報、測定項目を含む検査項目情報、検査日時に関する情報等である。これにより、例えば測定データが適正範囲内に存在するか否かの判断を測定項目ごとに実行することができる。
【００７２】
測定データ読出部５１２は、設定を受け付けた検索条件に基づいて、中央装置１の記憶装置１３の測定データ群記憶部１３１に記憶されている測定データ群から条件に合致する測定データを検索し、表示端末装置（検査結果表示装置）３へ送信する。これにより、例えば測定データが測定項目ごとに適正範囲内に存在するか否かの判断を画面上で目視にて実行することができる。
【００７３】
パラメータ群受付部５２は、取得した測定データが測定項目ごとに適正範囲内に存在するか否かを判定する判定条件を特定するためのパラメータ群の入力を受け付ける。パラメータ群は、例えば測定項目ごとの測定データの上限値、下限値、前回の測定データとの許容差、前回の測定データとの許容比率等である。
【００７４】
確率分布算出部１６１は、取得した測定データの度数分布に基づいて測定データの確率分布を算出する。本実施の形態２では、最大度数を１００％とした場合の分布度数を百分率で示すことにより確率分布値に代用している。もちろん、これに限定されるものではなく、正規分布を算出して確率分布を求めても良い。
【００７５】
表示部５３は、算出した確率分布及びパラメータ群に対応する判定条件を同一表示領域にて表示する。例えば前回の測定データを横軸に、今回の測定データを縦軸にしてサンプリングすることにより測定データの分布を確率的に把握することができる。表示された確率分布と同一の座標軸について判定条件を描画することにより、判定条件を変更させた場合に確率分布がどのように変化するのかを目視で容易に確認することができる。
【００７６】
上述した構成の検査結果表示システムの表示端末装置（検査結果表示装置）３での処理手順について説明する。図１７は、本発明の実施の形態２に係る表示端末装置（検査結果表示装置）３のＣＰＵ３１の処理手順を示すフローチャートである。
【００７７】
図１７において、表示端末装置（検査結果表示装置）３のＣＰＵ３１は、測定データの検索条件を受け付け（ステップＳ１７０１）、中央装置１の記憶装置１３に記憶されている測定データ群から、検索条件に合致する測定データを読み出す（ステップＳ１７０２）。ＣＰＵ３１は、測定データが測定項目ごとに適正範囲内に存在するか否かを判定する判定条件を特定するためのパラメータ群の設定又は変更を受け付ける（ステップＳ１７０３）。
【００７８】
本実施の形態２に係る表示端末装置（検査結果表示装置）３の表示画面のレイアウトは、基本的に実施の形態１と同様である。異なるのは測定データ表示領域７６に表示されるのが、測定データのサンプリングデータではなく、算出された確率分布を示すデータであることだけである。
【００７９】
ＣＰＵ３１は、取得した測定データに基づいて確率分布を算出し（ステップＳ１７０４）、算出した確率分布及びパラメータ群に対応する判定条件を同一表示領域にて表示する（ステップＳ１７０５）。例えば前回の測定データを横軸に、今回の測定データを縦軸にして分布領域を表示色等により確率分布の重み付けをして表示することができる。サンプリングされた測定データと同一の座標軸について判定条件を描画することにより、どの測定データが適正であり、どの測定データが異常であるのか等を、目視で容易に確認することができる。
【００８０】
確率分布の算出方法は特に限定されるものではない。本実施の形態２では、測定データの表示領域を所定の大きさの小領域に分割して、それぞれの領域に属する測定データ数の度数を計数する。そして度数に応じて再検査対象であるか否かを判断する。
【００８１】
図１８は、本発明の実施の形態２に係る表示端末装置（検査結果表示装置）３のＣＰＵ３１の確率分布の算出処理手順を示すフローチャートである。図１８において、表示端末装置（検査結果表示装置）３のＣＰＵ３１は、測定データ表示領域７６を複数の小領域に分割する（ステップＳ１８０１）。
【００８２】
ＣＰＵ３１は、各小領域に属する測定データ数を計数し（ステップＳ１８０２）、測定データ数の最大値を特定する（ステップＳ１８０３）。ＣＰＵ３１は、測定データ数の最大値を１００％として、すべての小領域について分布比率を測定データの確率分布として算出する（ステップＳ１８０４）。例えば最大値が‘３０００’であった場合には、測定データ数が‘３００’である小領域の分布比率は、（３００／３０００×１００＝）１０％として算出される。
【００８３】
図１９は、本実施の形態２に係る確率分布算出方法の概要を示す例示図である。図１９（ａ）に示すような測定データを、実施の形態１と同様に前回の測定データを横軸に、今回の測定データを縦軸にしてサンプリングすることにより測定データの分布図を表示する。そして、図１９（ｂ）に示すように、測定データ表示領域７６を８×８の小領域１９１、１９１、・・・に分割し、それぞれの領域に属する測定データ数を計数する。計数した測定データ数の最大値を１００とした場合の各領域の測定データ数の分布比率を算出して表示した状態が図１９（ｂ）である。
【００８４】
本実施の形態２での判定条件は、測定データ数の分布比率の下限値となる。例えば分布比率が５％以下である場合には再検査が必要であると判定条件を特定した場合、ＣＰＵ３１は、図１９（ｂ）に示す測定データ数の分布比率に基づいて、判定条件を具備するか否かを判断する。
【００８５】
図２０は、表示データの生成処理の例示図である。図２０（ａ）は、図１９（ｂ）に示す測定データ数の分布比率、及び判定条件に基づいて、再検査不要と判断された小領域を○印で、再検査が必要であると判断された小領域を×印で表した模式図である。再検査不要と判断された小領域の輪郭線を表示すれば足りるので、図２０(ｂ)に示すように○印が付されている最も外側の小領域を結ぶことにより、適正領域２０１を特定することができる。
【００８６】
しかし、これだけでは小領域１９１の輪郭によりなめらかな曲線として表示することができないので、輪郭線を含めて平滑化処理等を実行することにより、図２０（ｃ）に示すようななめらかな適正領域２０１を特定することができる。もちろん、領域が分離することを未然に防止するべくブロブ化処理を実行してから平滑化処理を実行しても良い。
【００８７】
また、測定データの表示は二次元的に表示するものに限定されるものではなく、三次元的に表示しても良い。図２１は、コリンエストラーゼの確率分布を三次元空間上に表示した例示図である。図２１（ａ）に示すように、ｚ軸に度数軸を設けることにより、測定データが三次元空間上に分散する度合を表示することができる。
【００８８】
そして、図２１（ｂ）は、再検査が必要となる検体が最大度数の１０％となるように設定した場合の測定データの適正範囲の確率分布を、図２１（ｃ）は、再検査が必要となる検体が最大度数の２０％となるように設定した場合の測定データの適正範囲の確率分布を、それぞれ示している。図２１（ａ）から図２１（ｃ）を比較すれば明らかなように、測定項目の適正範囲内に含まれる領域は、三次元空間として表示され、その領域が図２１（ａ）から図２１（ｃ）へ向かうにつれて漸次狭まっていることがわかる。このように三次元空間上に表示することにより、再検査が不要な適正範囲を目視で把握することが容易となる。
【００８９】
以上のように本実施の形態２によれば、所定の検索条件で検索した測定データの確率分布及びパラメータ群に対応する判定条件を同一表示領域にて表示することにより、特異な測定データを目視で容易に特定することができ、再検査の要否を目視で判断することが可能となる。
【００９０】
その他、上述した実施の形態は、本発明の趣旨を逸脱しない範囲で変更することができる。例えば、中央装置１に表示装置３５を設けて表示端末装置３と同様の機能を有しても良いし、検査項目ごとに検査装置４、４、・・・と接続する表示端末装置３をグループ化等して測定データを収集し、表示端末装置３単体で同様の機能を有するように構成しても良い。
【図面の簡単な説明】
【００９１】
【図１】本発明の実施の形態１に係る検査結果表示システムの構成を示すブロック図である。
【図２】測定データ群記憶部に記憶されるデータ構成の例示図である。
【図３】マスタデータ記憶部に記憶されるデータ構成の例示図である。
【図４】本発明の実施の形態１に係る検査結果表示システムの表示端末装置（検査結果表示装置）の構成を示すブロック図である。
【図５】本発明の実施の形態１に係る表示端末装置（検査結果表示装置）の機能ブロック図である。
【図６】本発明の実施の形態１に係る表示端末装置（検査結果表示装置）のＣＰＵの処理手順を示すフローチャートである。
【図７】本実施の形態１に係る表示端末装置（検査結果表示装置）の表示画面の例示図である。
【図８】今回の測定データの判断処理の概要を示すグラフである。
【図９】今回の測定データの許容比率に基づく判断処理の概要を示すグラフである。
【図１０】前回の測定データの判断処理の概要を示すグラフである。
【図１１】再検査の対象外となる適正領域を求めたグラフである。
【図１２】カテゴリの相違により判定条件として求めた適正領域が変動する例示図である。
【図１３】表示画面上の測定データ指示の例示図である。
【図１４】測定項目ごとの情報の表示画面の例示図である。
【図１５】パラメータ群の設定を変更した場合の測定データ表示領域に表示される画面の例示図である。
【図１６】本発明の実施の形態２に係る表示端末装置（検査結果表示装置）の機能ブロック図である。
【図１７】本発明の実施の形態２に係る表示端末装置（検査結果表示装置）のＣＰＵの処理手順を示すフローチャートである。
【図１８】本発明の実施の形態２に係る表示端末装置（検査結果表示装置）のＣＰＵの確率分布の算出処理手順を示すフローチャートである。
【図１９】本実施の形態２に係る確率分布算出方法の概要を示す例示図である。
【図２０】表示データの生成処理の例示図である。
【図２１】コリンエストラーゼの確率分布を三次元空間上に表示した例示図である。
【符号の説明】
【００９２】
１  中央装置
２  ネットワーク
３  表示端末装置（検査結果表示装置）
４  検査装置
１１、３１  ＣＰＵ
１２、３２  ＲＡＭ
１３、３３  記憶装置
１４、３４  入力装置
１５  出力装置
１６、３６  可搬型ディスクドライブ
１７、３７  通信装置
１８、３８  内部バス
３５  表示装置
９０  可搬型記録媒体
１００  コンピュータプログラム
１３１  測定データ群記憶部
１３２  マスタデータ記憶部  
【図１】
2010085379.tif 000003
【図２】
2010085379.tif 000004
【図３】
2010085379.tif 000005
【図４】
2010085379.tif 000006
【図５】
2010085379.tif 000007
【図６】
2010085379.tif 000008
【図７】
2010085379.tif 000009
【図８】
2010085379.tif 000010
【図９】
2010085379.tif 000011
【図１０】
2010085379.tif 000012
【図１１】
2010085379.tif 000013
【図１２】
2010085379.tif 000014
【図１３】
2010085379.tif 000015
【図１４】
2010085379.tif 000016
【図１５】
2010085379.tif 000017
【図１６】
2010085379.tif 000018
【図１７】
2010085379.tif 000019
【図１８】
2010085379.tif 000020
【図１９】
2010085379.tif 000021
【図２０】
2010085379.tif 000022
【図２１】
2010085379.tif 000023